【手続補正書】
【提出日】平成23年2月8日(2011.2.8)
【手続補正１】
【補正対象書類名】特許請求の範囲
【補正対象項目名】全文
【補正方法】変更
【補正の内容】
【特許請求の範囲】
【請求項１】
電力が供給されると発熱する発熱体の温度を検出して、前記発熱体に供給する電力を制御することによって、前記発熱体の温度を制御する加熱装置であって、
前記発熱体の温度を検出する温度検出手段と、
前記温度検出手段が検出した温度と目標温度とから、供給可能な最大の電力と前記発熱体に供給すべき電力の比である電力比を算出する第１の算出手段と、
前記発熱体を流れる電流値を検出する電流検出手段と、
予め設定されている前記発熱体に供給可能な最大供給可能電流値と前記電流検出手段が検出した前記発熱体を流れる電流値との比と、前記第１の算出手段が算出した電力比とに基づいて、前記発熱体に供給が可能な最大供給可能電力比を算出する第２の算出手段と、
前記第２の算出手段が算出した最大供給可能電力比が予め設定されている閾値以下である場合、前記発熱体への通電を遮断する遮断手段とを有することを特徴とする加熱装置。
【請求項２】
予め設定されている前記発熱体に供給可能な最大供給可能電流値と前記電流検出手段が検出した前記発熱体を流れる電流値との比と、予め定めた一定の電力比とに基づいて、前記発熱体に供給が可能な最大供給可能電力比を算出する第３の算出手段を備え、
前記遮断手段は、前記第３の算出手段が算出した最大供給可能電力比が予め設定されている閾値以下である場合、前記発熱体への通電を遮断することを特徴とする請求項１に記載の加熱装置。
【請求項３】
前記一定の電力比は、定格入力電圧の最大値およびヒータ抵抗値が最小値の場合においても、前記発熱体が破損しないように予め算出されている値であることを特徴とする請求項２に記載の加熱装置。
【請求項４】
前記第１の算出手段は、前記温度検出手段が検出した温度と目標温度との差分に比例する値と、前記差分の積分値の和から、前記電力比を算出することを特徴とする請求項１乃至３のいずれか１項に記載の加熱装置。
【請求項５】
前記第２の算出手段は、前記最大供給可能電流値と前記電流検出手段が検出した前記発熱体を流れる電流値との比と、前記第１の算出手段が算出した電力比との積により、前記最大供給可能電力比を算出することを特徴とする請求項１乃至４のいずれか１項に記載の加熱装置。
【請求項６】
電力が供給されると発熱する発熱体の温度を検出して、前記発熱体に供給する電力を制御することによって、前記発熱体の温度を制御する加熱装置を有する画像形成装置であって、
前記加熱装置は、
前記発熱体の温度を検出する温度検出手段と、
前記温度検出手段が検出した温度と目標温度とから、供給可能な最大の電力と前記発熱体に供給すべき電力の比である電力比を算出する第１の算出手段と、
前記発熱体を流れる電流値を検出する電流検出手段と、
予め設定されている前記発熱体に供給可能な最大供給可能電流値と前記電流検出手段が検出した前記発熱体を流れる電流値との比と、前記第１の算出手段が算出した電力比とに基づいて、前記発熱体に供給が可能な最大供給可能電力比を算出する第２の算出手段と、
前記第２の算出手段が算出した最大供給可能電力比が予め設定されている閾値以下である場合、前記発熱体への通電を遮断する遮断手段とを有することを特徴とする画像形成装置。
【請求項７】
前記加熱装置により制御される発熱体を内部に有する定着フィルムと、
前記定着フィルムとの間に挟まれた、熱定着を必要とする画像が形成された記録媒体に圧力を加える加圧ローラと、
を備えている定着装置を、さらに、有することを特徴とする請求項６に記載の画像形成装置。
【手続補正２】
【補正対象書類名】明細書
【補正対象項目名】発明の名称
【補正方法】変更
【補正の内容】
【発明の名称】加熱装置、及び該加熱装置を有する画像形成装置
【手続補正３】
【補正対象書類名】明細書
【補正対象項目名】０００１
【補正方法】変更
【補正の内容】
【０００１】
本発明は、被加熱材の加熱装置、及び該加熱装置を画像定着手段として具備した画像形成装置に関するものである。
【手続補正４】
【補正対象書類名】明細書
【補正対象項目名】０００２
【補正方法】変更
【補正の内容】
【０００２】
本発明は、一般に被加熱材の加熱装置に関するが、以下好適な適用例として、電子写真複写機やプリンタなどの画像形成装置に装備される未定着画像を熱定着させる加熱装置としての熱定着装置（像加熱装置）を例にして説明する。
【手続補正５】
【補正対象書類名】明細書
【補正対象項目名】００１２
【補正方法】変更
【補正の内容】
【００１２】
本発明は、上記問題点に鑑み、装置の定格電圧と異なる電圧が投入された場合の、安全性向上および装置故障の回避を実現する加熱装置、及び該加熱装置を具備する画像形成装置を提供する。
【手続補正６】
【補正対象書類名】明細書
【補正対象項目名】００１３
【補正方法】変更
【補正の内容】
【００１３】
上記目的を達成するために、本発明の加熱装置は、電力が供給されると発熱する発熱体の温度を検出して、前記発熱体に供給する電力を制御することによって、前記発熱体の温度を制御する加熱装置であって、前記発熱体の温度を検出する温度検出手段と、前記温度検出手段が検出した温度と目標温度とから、供給可能な最大の電力と前記発熱体に供給すべき電力の比である電力比を算出する第１の算出手段と、前記発熱体を流れる電流値を検出する電流検出手段と、予め設定されている前記発熱体に供給可能な最大供給可能電流値と前記電流検出手段が検出した前記発熱体を流れる電流値との比と、前記第１の算出手段が算出した電力比とに基づいて、前記発熱体に供給が可能な最大供給可能電力比を算出する第２の算出手段と、前記第２の算出手段が算出した最大供給可能電力比が予め設定されている閾値以下である場合、前記発熱体への通電を遮断する遮断手段とを有することを特徴とする。
【手続補正７】
【補正対象書類名】明細書
【補正対象項目名】００１４
【補正方法】変更
【補正の内容】
【００１４】
ここで、予め設定されている前記発熱体に供給可能な最大供給可能電流値と前記電流検出手段が検出した前記発熱体を流れる電流値との比と、予め定めた一定の電力比とに基づいて、前記発熱体に供給が可能な最大供給可能電力比を算出する第３の算出手段を備え、前記遮断手段は、前記第３の算出手段が算出した最大供給可能電力比が予め設定されている閾値以下である場合、前記発熱体への通電を遮断する。また、前記一定の電力比は、定格入力電圧の最大値およびヒータ抵抗値が最小値の場合においても、前記発熱体が破損しないように予め算出されている値である。
【手続補正８】
【補正対象書類名】明細書
【補正対象項目名】００１５
【補正方法】変更
【補正の内容】
【００１５】
また、本発明の画像形成装置は、電力が供給されると発熱する発熱体の温度を検出して、前記発熱体に供給する電力を制御することによって、前記発熱体の温度を制御する加熱装置を有する画像形成装置であって、前記加熱装置は、前記発熱体の温度を検出する温度検出手段と、前記温度検出手段が検出した温度と目標温度とから、供給可能な最大の電力と前記発熱体に供給すべき電力の比である電力比を算出する第１の算出手段と、前記発熱体を流れる電流値を検出する電流検出手段と、予め設定されている前記発熱体に供給可能な最大供給可能電流値と前記電流検出手段が検出した前記発熱体を流れる電流値との比と、前記第１の算出手段が算出した電力比とに基づいて、前記発熱体に供給が可能な最大供給可能電力比を算出する第２の算出手段と、前記第２の算出手段が算出した最大供給可能電力比が予め設定されている閾値以下である場合、前記発熱体への通電を遮断する遮断手段とを有することを特徴とする。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】